(57)【要約】ワックス加温器と、ワックス加温器の貯蔵器上に配置された１つ以上の溶融体と、を含む揮発性物質送達システムが提供される。溶融体の少なくとも一部を液化するのに十分な熱が貯蔵器に供給されると、システムは周囲の空気中に揮発性物質を放出する。各溶融体は、イオン性液体を含み、該溶融体内に配置された少なくとも１つの揮発性物質を含み、界面活性剤、染料、硬化剤及び／又は安定剤も含んでもよい。少なくとも２つの溶融体と、別個の受容体内に溶融体の各々を保持するための別個の受容体を備えた容器とを含む溶融体包装システムも提供される。
2018504947.tif 000002
【特許請求の範囲】
【請求項１】
少なくとも約３５℃の融点を有する溶融体であって、前記溶融体は、イオン性液体を含み、前記溶融体内に配置された少なくとも１つの揮発性物質を含む、溶融体。
【請求項２】
前記溶融体が、少なくとも約５０重量％の前記イオン性液体を含む、請求項１に記載の溶融体。
【請求項３】
前記イオン性液体が、深共晶固体を含む、請求項１又は２に記載の溶融体。
【請求項４】
前記溶融体が、少なくとも約７５重量％の前記深共晶固体を含む、請求項３に記載の溶融体。
【請求項５】
前記イオン性液体が、水素結合供与体と金属塩水和物とから形成されたイオン性化合物を含む、請求項１〜４のいずれか一項に記載の溶融体。
【請求項６】
前記水素結合供与体が尿素である、請求項５に記載の溶融体。
【請求項７】
前記金属塩水和物が塩化カルシウム２水和物である、請求項５又は６に記載の溶融体。
【請求項８】
前記イオン性化合物が、約１５：８５〜６０：４０の重量比の塩化カルシウム２水和物と尿素とから形成される、請求項７に記載の溶融体。
【請求項９】
前記イオン性化合物が、約２０：８０の重量比の塩化カルシウム２水和物と尿素とから形成される、請求項７に記載の溶融体。
【請求項１０】
前記イオン性化合物が、約４０：６０の重量比の塩化カルシウム２水和物と尿素とから形成される、請求項７に記載の溶融体。
【請求項１１】
前記イオン性液体が、第４級アンモニウム塩と水素結合供与体とから形成されたイオン性化合物を含む、請求項１〜４のいずれか一項に記載の溶融体。
【請求項１２】
前記イオン性液体が、第４級アンモニウム塩と金属塩とから形成されたイオン性化合物を含む、請求項１〜４のいずれか一項に記載の溶融体。
【請求項１３】
前記イオン性液体が、第４級アンモニウム塩と金属塩水和物とから形成されたイオン性化合物を含む、請求項３又は４に記載の溶融体。
【請求項１４】
前記第４級アンモニウム塩が塩化コリンである、請求項１１〜１３のいずれか一項に記載の溶融体。
【請求項１５】
前記イオン性液体が、水素結合供与体と金属塩とから形成されたイオン性化合物を含む、請求項１〜４のいずれか一項に記載の溶融体。
【請求項１６】
前記水素結合供与体が尿素である、請求項１５に記載の溶融体。
【請求項１７】
前記金属塩が臭化ナトリウムである、請求項１５又は１６に記載の溶融体。
【請求項１８】
前記イオン性化合物が、臭化ナトリウムと尿素から形成される、請求項１５に記載の溶融体。
【請求項１９】
前記イオン性化合物は、約３０：７０の重量比の臭化ナトリウムと尿素とから形成される、請求項１５に記載の溶融体。
【請求項２０】
前記イオン性化合物が、塩化カルシウム２水和物と尿素とから形成される、請求項５に記載の溶融体。
【請求項２１】
前記溶融体が、界面活性剤、染料、硬化剤及び安定剤のうちの少なくとも１つをさらに含む、請求項１〜２０のいずれか一項に記載の溶融体。
【請求項２２】
前記揮発性物質が、香り、精油、殺虫剤、誘引剤、忌避剤、臭気除去剤、及び消毒剤のうちの少なくとも１つを含む、請求項１〜２１のいずれか一項に記載の溶融体。
【請求項２３】
前記溶融体が、少なくとも約８０重量％のイオン性液体と、約０．１重量％〜約１０重量％の香りと、を含み、金属塩は臭化ナトリウムである、請求項３〜２２のいずれか一項に記載の溶融体。
【請求項２４】
前記溶融体が、約１．０重量％以下の染料及び約２０重量％以下の界面活性剤のうちの少なくとも一方をさらに含む、請求項３〜２２のいずれか一項に記載の溶融体。
【請求項２５】
前記溶融体が、少なくとも約８０重量％のイオン性液体と、約０．１重量％〜約２０重量％の揮発性殺虫剤及び揮発性誘引剤のうちの少なくとも一方と、約０．１重量％以下の染料とを含む、請求項３〜２２のいずれか一項に記載の溶融体。
【請求項２６】
前記溶融体が約１４０℃以下の融点を有する、請求項１〜２５のいずれか一項に記載の溶融体。
【請求項２７】
前記溶融体が約１１０℃以下の融点を有する、請求項１〜２５のいずれか一項に記載の溶融体。
【請求項２８】
前記イオン性液体が、約３５℃〜約９０℃の融点を有する、請求項１〜２５のいずれか一項に記載の溶融体。
【請求項２９】
前記深共晶固体が約３５℃〜約１００℃の融点を有する、請求項３又は４に記載の溶融体。
【請求項３０】
前記金属塩水和物が、Ｌｉ、Ｍｇ、Ｃａ、Ｃｒ、Ｍｎ、Ｆｅ、Ｃｏ、Ｎｉ、Ｃｕ、Ｚｎ、Ｃｄ、Ｐｂ、Ｂｉ、Ｌａ、又はＣｅの陽イオンの塩化物、硝酸塩、硫酸塩又は酢酸塩である、請求項５又は１３に記載の溶融体。
【請求項３１】
前記金属塩水和物が、Ｌｉ、Ｍｇ、Ｃａ、又はＺｎの陽イオンの塩化物、硝酸塩、硫酸塩又は酢酸塩である、請求項５又は１３に記載の溶融体。
【請求項３２】
前記水素結合供与体が、
尿素、チオ尿素及びアセトアミドからなる群から選択されるアミドと、
シュウ酸、安息香酸、マロン酸又はクエン酸からなる群から選択されるカルボン酸と、
アルコールと、
置換又は非置換フェノールと、
の少なくとも１つを含む、請求項５又は１１に記載の溶融体。
【請求項３３】
前記金属塩が臭化亜鉛又は臭化ナトリウムである、請求項１０又は１５に記載の溶融体。
【請求項３４】
前記イオン性液体が水と混和性である、請求項１〜３３のいずれか一項に記載の溶融体。
【請求項３５】
前記深共晶固体が水と混和性である、請求項３〜２０、２３〜２５又は２９のいずれか一項に記載の溶融体。
【請求項３６】
揮発性物質送達システムであって、
貯蔵器を備えたワックス加温器と、
前記貯蔵器上に配置された請求項１〜３５のいずれか一項に記載の少なくとも１つの溶融体と、
を含む、揮発性物質送達システム。
【請求項３７】
揮発性物質を送達する方法であって、
請求項１〜３５のいずれか一項に記載の少なくとも１つの溶融体をワックス加温器の貯蔵器に配置する工程と、
前記貯蔵器上に配置された少なくとも１つの溶融体の少なくとも一部を液化させるのに十分な熱を貯蔵器に加える工程と、
を含む、方法。
【請求項３８】
溶融体包装システムであって、
請求項１〜３５のいずれか一項に記載の少なくとも２つの溶融体と、
その内に少なくとも２つの溶融体の各々を保持するための別個の受容体を備えた容器と、を含み、
前記少なくとも２つの溶融体の各々が別個の受容体内に保持される、溶融体包装システム。
【請求項３９】
各溶融体が対向する実質的に平坦な表面を備える、請求項３８に記載の溶融体包装システム。
【請求項４０】
前記イオン性液体が、アミド、カルボン酸、アルコール、アミン及びフェノールからなる群から選択される水素結合供与体を含む混合物から形成されたイオン性化合物を含む、請求項１に記載の溶融体。
【請求項４１】
前記イオン性液体が、臭化亜鉛と塩化アセチルコリンとから形成されたイオン性化合物を含む、請求項１に記載の溶融体。
【請求項４２】
前記イオン性液体が、塩化第２銅２水和物と塩化コリンとから形成されたイオン性化合物を含む、請求項１に記載の溶融体。
【請求項４３】
前記イオン性液体が、シュウ酸と塩化コリンとから形成されたイオン性化合物を含む、請求項１に記載の溶融体。
【請求項４４】
前記イオン性液体が、塩化リチウム５水和物と塩化コリンとから形成されたイオン性化合物を含む、請求項１に記載の溶融体。
【請求項４５】
前記イオン性液体が、第４級アンモニウム塩と、Ｎａ、Ｆｅ、Ｚｎ、又はＳｎの陽イオンのハロゲン化物塩と、から形成されたイオン性化合物を含む、請求項１に記載の溶融体。
【請求項４６】
前記イオン性液体が、第４級アンモニウム塩と水素結合供与体とを含む混合物から形成されたイオン性化合物を含む、請求項１に記載の溶融体。
【請求項４７】
前記イオン性液体が、第４級アンモニウム塩と金属塩とを含む混合物から形成されたイオン性化合物を含む、請求項１に記載の溶融体。
【請求項４８】
前記イオン性液体が、第４級アンモニウム塩と金属塩水和物とを含む混合物から形成されたイオン性化合物を含む、請求項１に記載の溶融体。
【請求項４９】
前記イオン性液体が、水素結合供与体とその金属塩又はその水和物とを含む混合物から形成されたイオン性化合物を含む、請求項１に記載の溶融体。
【発明の詳細な説明】
【技術分野】
【０００１】
本発明は、溶融物送達システムに関する。
【背景技術】
【０００２】
キャンドルは周囲の照明を提供するために何世紀にもわたり使用されてきた。近年では、キャンドルは、家庭用の芳香剤及び／又は脱臭剤として使用されている。典型的なキャンドルは、これを通って延びる芯材を有するワックス本体を含む。芯材が点灯されると、炎によって発生した熱でワックス本体を溶融させ、ワックス本体はこの内部に同伴された香り物質を放出する。残念なことに、芯材を有するキャンドルを使用すると、火災の危険をもたらし、香りプロファイル中に不快な燃焼の臭いをさらに放出する可能性がある。
【０００３】
近年、キャンドルと関連している火災の危険性を最小限にし、同時にこれに関連する香りの利点を提供する芯材のないキャンドルを提供する試みがなされている。芯材のないキャンドルは、主に、大豆系ワックス、パラフィン、又は両方のブレンドなどの基本ワックスで構成されている。パラフィンは、商業的に販売されているほとんどのキャンドルに使用されている石油系ワックスである。大豆系ワックスは、大豆由来の全天然ワックスであり、パラフィンよりも環境に優しいワックスである。
【０００４】
典型的な芯材のないキャンドルは、電気加温器（ｗａｒｍｅｒ）と、この内で加熱されるように設計された芯材のないキャンドル組成物とを含んでもよい。芯材のないキャンドル組成物は、典型的には、ワックスビーズ（ｗａｘ  ｂｅａｄｓ）又はワックス本体（ｗａｘ  ｂｏｄｉｅｓ）のいずれかである。ワックスビーズは、通常、容器又はバッグ内に設けられており、消費者が容器又はバッグを傾け、そして／又はワックスビーズを加温器に注ぐことを必要とする。ワックス本体は、通常、利用される製造プロセスのためにブロック形態で提供される。ワックス本体から香り物質又は他の揮発性物質が消耗された後において、ワックス本体を加温器から取り除くことが困難な場合がある。
【発明の概要】
【課題を解決するための手段】
【０００５】
本開示は、概して、香り及び／又は他の揮発性成分などの揮発性物質を放出するための溶融物送達システムに関する。溶融物送達システムは、典型的には、溶融物加温器と、該加温器の一部である加熱された受容体上に配置された１つ以上の溶融体とを含む。溶融体は、一般に、少なくとも約３５℃の融点を有し、かつ揮発性物質を有する、イオン性液体を含む。溶融体はまた、その内に配置された界面活性剤、染料、硬化剤及び／又は安定剤を含んでもよい。
【０００６】
一態様において、本発明の溶融体はイオン性液体を含み、少なくとも約３５℃、一般に少なくとも約４０℃の融点を有し、該溶融体内に配置された揮発性物質を含む。溶融体は、少なくとも約５０重量％、多くの場合、少なくとも約７５重量％、さらには少なくとも約８０重量％のイオン性液体を含んでもよい。イオン性液体は、深共晶固体を含んでもよい。揮発性物質は、香り及び／又は揮発性誘引剤、忌避剤、殺虫剤、精油、臭気除去剤及び／又は消毒剤を含んでもよい。
【０００７】
多くの実施形態において、イオン性液体は水と混和性であってもよい。多くの実施形態において、イオン性液体は、水と混和性であり得る深共晶固体を含む。
いくつかの実施形態において、深共晶固体は、水素結合供与体と金属塩水和物とから形成されたイオン性化合物を含んでもよい。例えば、イオン性化合物は、典型的には約１５：８５から６０：４０の重量比、例えば各々約２０：８０の重量比の、塩化カルシウム２水和物と尿素とから形成されてもよい。他の実施形態において、深共晶固体は、水素結合供与体と金属塩とから形成されたイオン性化合物を含んでもよい。例えば、イオン性化合物は、例えば約３０：７０の重量比の、臭化ナトリウムと尿素とから形成されてもよい。
【０００８】
本開示はまた、揮発性物質を送達する方法であって、溶融体の少なくとも１つをワックス加温器の貯蔵器に配置する工程と、貯蔵器上に配置された１つ以上の溶融体の少なくとも一部を液化するのに十分な熱を貯蔵器に加える工程とを含む。
【０００９】
本開示はまた、溶融体包装システムであって、個々の溶融体を内部に保持するための別個の受容体を備えた容器内に配置された２つ以上の溶融体を含み、各溶融体が別個の受容体内に保持されるようにする溶融体包装システムを提供する。溶融体は、一般に、対向する実質的に平坦な表面を備える。
【図面の簡単な説明】
【００１０】
【図１】本開示の例示的な実施形態による、溶融体加温器と溶融体とを含む揮発性物質送達システムの等角図である。
【図２】本開示の一実施形態による、容器内に、そして容器に隣接して配置された複数の溶融体を備えた溶融体包装システムの等角図である。
【発明を実施するための形態】
【００１１】
本開示は、典型的には、熱を加えて液化させ、これにより溶融体内に配置された揮発性物質を放出することができる固体物質を含む溶融体を提供する。溶融体は、一般に、少なくとも約３５℃の融点を有し、溶融体の大部分を構成する基材としてのイオン性液体を含む。多くの実施形態において、イオン性液体は、深共晶固体を含む。いくつかの実施形態において、溶融体は、少なくとも約４０℃の融点を有する。一般に、溶融体は、約１５０℃以下、より望ましくは約１１０℃以下、多くの場合、約１００℃以下の融点を有する。
【００１２】
いくつかの実施形態において、イオン性液体は、約３５℃〜約１１０℃の融点を有してもよい。イオン性液体は、典型的には、約３５℃から、約４０℃から、さらには約５０℃から、約１１０℃まで、約１００℃まで、又はさらには約９０℃までの融点を有する。
【００１３】
いくつかの実施形態において、溶融体は、少なくとも約５０重量％、多くの場合、少なくとも約７５重量％のイオン性液体を含む。別の実施形態において、溶融体は、少なくとも約８０重量％、少なくとも約８５重量％、少なくとも約９０重量％、又は少なくとも約９５重量％のイオン性液体を含む。
【００１４】
一実施形態において、イオン性液体が水と混和性であってもよい。別の実施形態において、深共晶固体が水と混和性であってもよい。イオン性液体及び／又は深共晶固体の水混和性は、以下のイオン性液体水混和性試験によって決定することができる。
【００１５】
０．５ｇの深共晶固体又は他のイオン性液体と４．５ｇの脱イオン水との混合物を、Ｂｒａｎｓｏｎｉｃ  Ｕｌｔｒａｓｏｎｉｃ  Ｂａｔｈ（＠５０／６０Ｈｚ、１１７ボルト、１．３ＡＭＰ）中で２５℃で１．５時間の間超音波処理する。その後、得られた混合物を撹拌せずに２５℃で放置したところ１５分以内に均質な透明系が生じる場合、イオン性液体は水混和性であると決定される。しかしながら、得られた混合物を攪拌せずに１５分間放置した後に不均質に見える場合、又は半透明に見えるか若しくは別個の相／層を示す場合、イオン性液体は水と混和しないと決定される。
【００１６】
いくつかの実施形態において、溶融体の基材を構成するイオン性液体は、深共晶固体を含んでもよい。多くの実施形態において、イオン性液体は、相当量の深共晶固体を含んでもよい。例えば、イオン性液体は、少なくとも約９０重量％の深共晶固体を含んでもよい。特定の実施形態において、揮発性物質及び任意に他の一般的に使用されるキャンドル用添加剤を除いて、溶融体は本質的に深共晶固体からなっていてもよい。例えば、溶融体は、少なくとも約５０重量％、多くの場合、少なくとも約７５重量％の深共晶固体を含んでもよく、実質的に全ての残りの成分は、本質的に揮発性物質と、任意に１つ以上の一般的に使用されるキャンドル用添加剤（例えば、染料、界面活性剤及び／又は安定剤）からなる。
【００１７】
本明細書で使用される、用語「深共晶固体」は、共晶を形成し、少なくとも約３５℃、典型的には少なくとも約４０℃の融点を有する混合物からなる一種のイオン性物質を指す。深共晶固体は、典型的には、個々の成分のどちらよりも低い融点を有する。いくつかの実施形態において、深共晶固体は、約３５℃〜約１２０℃の融点を有する。多くの場合、本明細書で使用される深共晶固体は、約１１０℃以下、約１００℃以下、又は約９０℃以下の融点を有してもよい。
【００１８】
多くの実施形態において、深共晶固体は、溶融体に少なくとも約７５重量％、少なくとも約８５重量％、少なくとも約９０重量％、又は少なくとも約９５重量％の量で存在してもよい。好ましくは、溶融体には少なくとも約８０重量％の深共晶固体が含まれる。
【００１９】
いくつかの異なる種類の深共晶固形物が報告されており、本溶融体を形成するために好適に使用することができる。第４級アンモニウム塩、金属塩、金属塩水和物、及び水素結合供与体の２種の適切な組み合わせを反応させることにより、深共晶固体を形成することができる。このような深共晶固体において、水素結合供与体は、アミド、例えば、尿素、チオ尿素又はアセトアミドなどのアミド、シュウ酸、安息香酸、マロン酸、クエン酸などのカルボン酸、ベンジルアルコール又は糖などのアルコール、アニリン又はヒドロキシルアミンなどのアミン、及び／又はバニリン又はｐ−アミノフェノールなどの置換又は非置換フェノールを含んでもよい。例示的な好適な金属塩には、亜鉛、鉄、ナトリウム又はスズのハロゲン化物塩、例えばＺｎＢｒ２、ＦｅＣｌ３、ＮａＢｒ及びＳｎＣｌ２が挙げられる。例示的な好適な金属塩水和物としてはＬｉ、Ｍｇ、Ｃａ、Ｃｒ、Ｍｎ、Ｆｅ、Ｃｏ、Ｎｉ、Ｃｕ、Ｚｎ、Ｃｄ、Ｐｂ、Ｂｉ、Ｌａ又はＣｅの陽イオンの塩化物、硝酸塩、硫酸塩又は酢酸塩の水和物が挙げられる。
【００２０】
例えば、以下の４種の深共晶固体が報告されており、本発明の溶融体を形成する際に好適に使用されてもよい。このような４種の深共晶固体は、下記に示された化合物の種類を反応させることによって形成されることができる。
【００２１】
Ｉ型：第４級アンモニウム塩＋金属塩
ＩＩ型：第４級アンモニウム塩＋金属塩水和物
ＩＩＩ型：第４級アンモニウム塩＋水素結合供与体
ＩＶ型：金属塩（水和物）＋水素結合供与体
いくつかの実施形態において、第４級アンモニウム塩は、式Ｉの化合物であってもよい。
【００２２】
Ｒ１Ｒ２Ｒ３Ｒ４Ｎ＋Ｘ−          式１
ここで
Ｒ１、Ｒ２及びＲ３は、各々独立して、水素又はＣ１〜Ｃ５アルキル基であり、
Ｒ４は、ＯＨ、Ｃｌ、Ｂｒ、Ｆ、Ｉ、ＮＨ２、ＣＮ、ＮＯ２、Ｃ（Ｏ）ＯＲ５、ＯＣ（Ｏ）Ｒ５、ＣＯＲ５、ＣＨＯ及びＯＲ５から選択される少なくとも１つの基で任意に置換されていたＣ１〜Ｃ１０アルキル又はシクロアルキル基であり、
Ｒ５は、水素、Ｃ１〜Ｃ１０アルキル又はシクロアルキル基であり、
Ｘ−はＮＯ３−、Ｆ−、Ｃｌ−、Ｂｒ−、Ｉ−、ＢＦ４−、ＣｌＯ４−、ＣＮ−、ＳＯ３ＣＦ３−又はＦ３ＣＣ（Ｏ）２−である。
【００２３】
典型的には、Ｒ１、Ｒ２及びＲ３は、各々独立して、Ｃ１〜Ｃ５アルキル基である。かなり一般的には、第４級アンモニウム塩は、塩化コリン又は塩化アセチルコリンであってもよい。
【００２４】
いくつかの実施形態において、水素結合供与体は、Ｘ−と水素結合を形成することができる有機化合物である。いくつかの実施形態において、水素結合供与体は、式：Ｒ６ＣＯ２Ｈ、Ｒ７Ｒ８ＮＨ、Ｒ９ＣＺＮＨ２又はＲ１０ＯＨの化合物であり、ここでＲ６、Ｒ７、Ｒ８及びＲ１０は各々独立して水素、ＯＨ、ＳＲ５、Ｃｌ、Ｂｒ、Ｆ、Ｉ、ＮＨ２、ＣＮ、ＮＯ２、ＯＣ（Ｏ）Ｒ５、ＣＯＯＲ５、ＣＯＲ５、ＣＨＯ、ＣＯＲ５及びＯＲ５から選択された１つ以上の基で任意に置換されていたＣ１〜Ｃ８アルキル基であり、ここで、Ｒ５は、上記記載のとおりであり、Ｒ９は、ＯＨ、ＳＲ５、Ｃｌ、Ｂｒ、Ｆ、Ｉ、ＮＨ２、ＣＮ、ＮＯ２、ＯＣ（Ｏ）Ｒ５、ＣＯＯＲ５、ＣＯＲ５及びＯＲ５から選択される１つ以上の基で任意に置換されていたＣ１〜Ｃ８アルキル基であり、ここで、Ｒ５は水素、Ｃ１〜Ｃ１０アルキル又はシクロアルキル基、又はＮＨＲ１１であり、ここでＲ１１は、水素又はＣ１〜Ｃ６アルキル基であり、ＺはＯ又はＳである。好適な水素結合供与体の実例には、尿素、アセトアミド、チオ尿素、グリオキシル酸、マロン酸、シュウ酸２水和物、トリフルオロ酢酸、安息香酸、ベンジルアルコール、ｐ−メチルフェノール、ｏ−メチルフェノール、ｍ−メチルフェノール、ｐ−クロロフェノール、Ｄ−フルクトース、及び／又はバニリンが挙げられる。
【００２５】
いくつかの実施形態において、深共晶固体は、第４級アンモニウム塩と金属塩との反応によって形成されたイオン性化合物を含む（Ｉ型深共晶固体）。Ｉ型深共晶固体のいくつかの例には、表１に列挙した化合物を使用し、Ａｂｂｏｔｔ他によるＩｎｏｒｇ．Ｃｈｅｍ．、３４４７（２００４）で記載された方法に従って調製されることができる。
【００２６】
【表１】
2018504947.tif 000003
多くの実施形態において、深共晶固体は、第４級アンモニウム塩と金属塩水和物との反応によって形成されたイオン性化合物を含む（ＩＩ型深共晶固体）。ＩＩ型深共晶固体は、例えば、塩化コリンのような四級アンモニウム塩及びＺｎＣｌ２−２Ｈ２Ｏ、ＣａＣｌ２−６Ｈ２Ｏ、ＭｇＣｌ２−６Ｈ２Ｏ、ＣｒＣｌ３−６Ｈ２Ｏ、ＣｏＣｌ２−６Ｈ２Ｏ、ＬａＣｌ３−６Ｈ２Ｏ、ＣｕＣｌ２−２Ｈ２Ｏ、ＬｉＣｌ−５Ｈ２Ｏ、Ｃａ（ＮＯ３）２−４Ｈ２Ｏ、Ｃｒ（ＮＯ３）３−９Ｈ２Ｏ、Ｍｎ（ＮＯ３）２−４Ｈ２Ｏ、Ｆｅ（ＮＯ３）３−９Ｈ２Ｏ、Ｃｏ（ＮＯ３）２−６Ｈ２Ｏ、Ｎｉ（ＮＯ３）２−６Ｈ２Ｏ、Ｃｕ（ＮＯ３）２−３Ｈ２Ｏ、Ｌｉ（ＮＯ３）−Ｈ２Ｏ、Ｍｇ（ＮＯ３）２−６Ｈ２Ｏ、Ｌａ（ＮＯ３）３−６Ｈ２Ｏ、Ｃｄ（ＮＯ３）２．−４Ｈ２Ｏ、Ｃｅ（ＮＯ３）３−６Ｈ２Ｏ、Ｂｉ（ＮＯ３）３−５Ｈ２Ｏ、Ｚｎ（ＮＯ３）２−４Ｈ２Ｏ、Ｃｄ（ＯＡｃ）２−２Ｈ２Ｏ、Ｐｂ（ＯＡｃ）２−３Ｈ２Ｏ、ＳｎＣｌ２−２Ｈ２Ｏ、又はＣｒ２（ＳＯ４）３−１５Ｈ２Ｏなどの金属塩水和物を使用して調製することができる。好適なＩＩ型深共晶固体の他の例は、米国特許第７，１９６，２２１号明細書に例示されている。
【００２７】
多くの実施形態において、深共晶固体は、第４級アンモニウム塩と水素結合供与体との反応によって形成されたイオン性化合物を含んでもよい（ＩＩＩ型深共晶固体）。例示のＩＩＩ型深共晶固体は、塩化コリンのような第４級アンモニウム塩及び表２に列挙された水素結合供与体を用いて、国際特許出願第ＰＣＴ／ＧＢ０１／０４３００号に記載された方法に従って調製することができる。表２には、塩化コリン及び対応する水素結合供与体から調製された多くの例示的な深共晶固体の凝固点が列挙される。他の好適な深共晶固体は、上記の式Ｉで表わされる第四級アンモニウム塩及び本明細書に記載された水素結合供与体の１つ以上から調製することができる。
【００２８】
【表２】
2018504947.tif 000004
Ｌｉ、Ｎａ、Ｍｇ、Ｃａ、Ｃｒ、Ｍｎ、Ｆｅ、Ｃｏ、Ｎｉ、Ｃｕ、Ｚｎ、Ｃｄ、Ｐｂ、Ｂｉ、Ｌａ、又はＣｅの陽イオンの塩化物、臭化物、硝酸塩、硫酸塩及び酢酸塩などの金属塩及び／又はこれらの水和物を用いてＩＶ型深共晶固体を調製することができる。いくつかの実施形態において、金属塩水和物は、好適には、Ｌｉ、Ｍｇ、Ｃａ、又はＺｎの陽イオンの塩化物、硝酸塩、硫酸塩又は酢酸塩であってもよい。いくつかの例示的な実施形態において、金属塩水和物は塩化カルシウム２水和物である。いくつかの実施形態において、金属塩は、好適には、Ｎａ＋又はＺｎ＋２塩、例えば、Ｎａ＋又はＺｎ＋２の臭化物塩のようなハロゲン化物塩であってもよい。いくつかの実施形態において、水素結合供与体は、尿素、チオ尿素、及びアセトアミドからなる群から選択されるアミド、シュウ酸、安息香酸、マロン酸又はクエン酸からなる群から選択されるカルボン酸、アルコール、置換又は非置換のフェノール、又は糖類の少なくとも１つであってもよい。多くの実施形態において、水素結合供与体は尿素であってもよい。
【００２９】
例えば、２０：８０の重量比の塩化カルシウム２水和物と尿素との反応により形成されたイオン性化合物は、深共晶現象を示す。得られたイオン性化合物の融点は約８５℃（尿素の融点１３３℃、塩化カルシウム水和物の分解温度１７３℃より極めて低い）である。約４０：６０の重量パーセント比の化カルシウム２水和物と尿素とから形成されたイオン化合物は、約５４〜５６℃の融点を有する。他の非限定的な例には、金属塩水和物（例えば、金属ハロゲン化物水和物）と、尿素、チオ尿素、マロン酸又はアセトアミドなどの水素結合供与体との混合物の反応から形成されたイオン性化合物が含まれる。
【００３０】
溶融体は２つ以上の深共晶固体を含んでもよいが、単一の溶融体は典型的には単一の深共晶固体のみを含む。
いくつかの実施形態において、溶融体内に配置される揮発性物質は、香り、精油、殺虫剤、誘引剤、忌避剤、臭気除去剤、及び／又は消毒剤を含む。
【００３１】
一実施形態において、揮発性香り物質は、エステル（例えば、ブタン酸エステル及び／又はペンタン酸エステル）、アルデヒド、イオノン、亜硝酸塩、ケトン及びこれらの組み合わせからなる群から選択される１つ以上の揮発性香り物質を含んでもよい。
【００３２】
いくつかの実施形態において、揮発性香り物質は、１−メチルエチル−２−メチルブタノエート；エチル−２−メチルペンタノエート；１，５−ジメチル−１−エテニルヘキシル−４−エニルアセテート；ｐ−メント−１−エン−８−イルアセテート；４−（２，６，６−トリメチル−２−シクロヘキセニル）−３−ブテン−２−オン；４−アセトキシ−３−メトキシ−１−プロペニルベンゼン；２−プロペニルシクロヘキサンプロピオネート；ビシクロ［２．２．１］ヘプト−５−エン−２−カルボン酸、３−（１−メチルエチル）−エチルエステル、ビシクロ［２．２．１］ヘプタン−２−オール、１，７，７−トリメチル−、アセテート１，５−ジメチル−１−エテニルヘキス−４−エニルアセテート；ヘキシル２−メチルプロパノエート；エチル−２−メチルブタノエート；４−ウンデカノン；５−ヘプチルジヒドロ−２（３ｈ）−フラノン；１，６−ノナジエン−３−オール、３，７−ジメチル−；３，７−ジメチルオクタ−１，６−ジエン−３−ｏ；３−シクロヘキセン−１−カルボキシアルデヒド、ジメチル−；３，７−ジメチル−６−オクテンニトリル；４−（２，６，６−トリメチル−１−シクロヘキセニル）−３−ブテン−２−オン；トリデク−２−エンニトリル；パチョリ油；エチルトリシクル［５．２．１．０］デカン−２−カルボキシレート；２，２−ジメチル−シクロヘキサンプロパノール；ヘキシルエタノエート、７−アセチル、１，２，３，４，５，６，７，８−オクタヒドロ−１，１，６，７−テトラメチルナフタレン；アリル−シクロヘキシルオキシアセテート；メチルノニルアセトアルデヒド；１−スピロ［４，５］デク−７−エン−７−イル−４−ペンテンエン−１−オン；７−オクテン−２−オール、２−メチル−６−メチレン−、ジヒドロ；シクロヘキサノール、２−（１，１−ジメチルエチル）−、アセテート；ヘキサヒドロ−４，７−メタノインデン−５（６）−イル−プロピオネートヘキサヒドロ−４，７−メタノインデン−５（６）−イル−プロピオネート；２−メトキシナフタレン；１−（２，６，６−トリメチル−３−シクロヘキセニル）−２−ブテン−１−オン；１−（２，６，６−トリメチル−２−シクロヘキセニル）−２−ブテン−１−オン；３，７−ジメチルオクタン−３−オール；３−ブテン‐２−オン、３−メチル−４−（２，６，６−トリメチル−１−シクロヘキセン−２−イル）−、ヘキサン酸、２−プロペニルエステル；（ｚ）−ノン−６−エン−１−アル；１−デシルアルデヒド；１−オクタナール；４−ｔ−ブチル−α−メチルヒドロシンナムアルデヒド；α−ヘキシルシンナムアルデヒド；エチル−２，４−ヘキサジエノエート；及び２−プロペニル３−シクロヘキサンプロピオネートからなる群より選択される１つまたは複数の化合物を含んでいてもよい。
【００３３】
いくつかの実施形態において、溶融体は、各々溶融体がワックス加温器上で液化する際に分散されるべき揮発性物質を担持するように設計されるが、いくつかの実施形態では、溶融体が揮発性物質を含まないことがあると考えられる。溶融体が室温（約２３℃）で固体として維持されている間に、揮発性物質が存在すると、緩やかな速度（例えば、約３ｍｇ／ｈｒ未満）で溶融体から放出されると認識されるべきである。溶融体が比較的少量の熱（例えば、ワックス加温器内のヒータに典型的な量）に暴露されると、溶融体が液化し始め、揮発性物質の拡散が増加する。したがって、溶融体を加熱することにより、揮発性物質の拡散を増大させて、溶融体を囲む領域に香り（又は他の揮発性物質）を噴射（ｂｏｏｓｔ）又は噴霧（ｓｐｉｋｅ）させる。
【００３４】
いくつかの実施形態において、溶融体は、約０．５重量％〜約２０重量％、１重量％〜約１０重量％、又は約２重量％〜約８重量％の量で存在し得る揮発性物質を含んでもよい。溶融体中に存在する揮発性物質は、香り、精油、殺虫剤（例えば殺昆虫剤）、臭気除去剤、誘引剤、忌避剤、脱臭剤、及び／又は洗浄物質（例えば消毒剤）などの揮発性物質であってもよい。揮発性物質はまた、空気清浄剤、カビ又は白カビの防止剤、昆虫忌避剤などの活性物質を含んでもよく、そして／又はアロマセラピー特性を有してもよい。本開示による香りは、１つ以上の芳香性物質又は化学的に活性な蒸気を提供する物質を含んでもよい。一実施形態において、香りは、天然植物抽出物、エッセンス、香油などを含むがこれらに限定されない揮発性の芳香性化合物を含んでもよい。当該技術分野で知られているように、多くの精油及び他の天然植物誘導体は、非常に揮発性の高い香りを多く含む。これに関して、多くの精油、エッセンス、及び香り入り濃縮物は、香り及び食品事業の企業から一般に入手可能である。
【００３５】
一実施形態において、揮発性物質は、約２５０℃より低い沸点（Ｂ．Ｐ．）及び約３より低いＣｌｏｇＰを有する香料原料、約２５０℃より高いＢ．Ｐ及び約３より高いＣｌｏｇＰを有する香料原料、約２５０℃より高いＢ．Ｐ及び約３より低いＣｌｏｇＰを有する香料原料、約２５０℃より低いＢ．Ｐ及び約３より高いＣｌｏｇＰを有する香料原料、及びこれらの混合物からなる群から選択される香料原料を含んでもよい。約２５０℃より低いＢ．Ｐ及び約３より低いＣｌｏｇＰを有する香料原料は、クアドラント（ＱＵＡＤＲＡＮＴ）Ｉ香料原料として知られており、約２５０℃より高いＢ．Ｐ及び約３より高いＣｌｏｇＰを有する香料原料は、クアドラントＩＶ香料原料として知られており、約２５０℃より高いＢ．Ｐ及び約３より低いＣｌｏｇＰを有する香料原料は、クアドラントＩＩの香料原料として知られており、約２５０℃より低いＢ．Ｐ及び３より高いＣｌｏｇＰを有する香料原料は、クアドラントＩＩＩの香料原料として知られている。いくつかの実施形態において、香料は、約２５０℃より低いＢ．Ｐ．を有する香料原料を含んでもよい。別の実施形態において、香料は、クアドラントＩ、ＩＩ、ＩＩＩ香料原料及びこれらの混合物からなる群から選択される香料原料を含んでもよい。いくつかの実施形態において、香料は、クアドラントＩＩＩの香料原料を含んでもよい。好適なクアドラントＩ、ＩＩ、ＩＩＩ及びＩＶ香料原料の例は、米国特許第６，８６９，９２３号明細書に記載されている。
【００３６】
いくつかの実施形態において、溶融体は、溶融体の１つ以上の部分及び／又は１つ以上の色に対応し得る２つの香りを含んでもよい。例えば、一実施形態において、溶融体は、第１の色及びこれに関連する第１の香り、及び第２の色及びこれに関連する第２の香りを含んでもよい。本明細書に記載された概念を具体化する多くの組み合わせが可能である。例えば、一実施形態において、第１の色は栗色でありシナモンの香りに対応してもよく、第２の色は緑色であり松の木の香りに対応してもよい。別の実施形態において、第１の色はオレンジ色でありカボチャパイの香りに対応してもよく、第２の色は白色でありバニラに対応してもよい。別の実施形態において、第１の色は薄青色であり新鮮なリネンに対応してもよく、第２の色は薄紫色でありラベンダーに対応してもよい。
【００３７】
別の実施形態において、溶融体は、界面活性剤、染料、硬化剤及び／又は安定剤をさらに含んでもよい。
いくつかの実施形態において、本明細書に開示される溶融体組成物は、界面活性剤を含んでもよく、界面活性剤は、非イオン性及び／又はアニオン性及び／又は陽イオン性界面活性剤及び／又は両性及び／又は双性イオン及び／又は半極性非イオン性界面活性剤から選択されてもよい。界面活性剤は、典型的には該組成物の約０．１重量％から、約１重量％から、又はさらには約３重量％から、該組成物の約２０重量％まで、約１０重量％まで、又はさらには約５重量％のレベルで存在する。
【００３８】
いくつかの実施形態において、硬化剤を溶融体に使用してもよい。硬化剤は、（固体及び液体を含んでもよい）全体の組成物を固体形態で維持する役割を果たすので、多くの場合、固化剤と呼ばれ得る。特定の実施形態において、硬化剤は、固化剤に一般的に用いられるポリエチレングリコール（ＰＥＧ）、ＥＯ／ＰＯブロックコポリマー、アミドなどを含んでもよい。好ましい実施形態において、硬化剤はポリエチレングリコール（ＰＥＧ）を含むか、又はこれからなる。本発明による使用に好適な種々の固体ポリエチレングリコールは、Ｐｌｕｒｉｏｌ（商標）（ＢＡＳＦ製）又はＣａｒｂｏｗａｘ（商標）（ダウケミカル製）として市販されている。有益には、より低い分子量のポリエチレングリコール、例えばＰＥＧ４０００は、生分解性であり、製剤を環境的に安全で優しいものとすることができる。
【００３９】
ポリエチレングリコールの分子量は、約８，０００未満であってもよく、多くの場合、約４，０００（以下ＰＥＧ４０００）〜約８，０００（以下ＰＥＧ８０００）の分子量を有してもよい。多くの場合、生分解性ポリエチレングリコールを使用してもよい。好ましい実施形態の一例は、良好な一貫性（ｃｏｎｓｉｓｔｅｎｃｙ）を有する固体ブロック組成物を形成するＰＥＧ４０００を使用する。「良好な一貫性」とは、固化後に過度に脆い又は液化することなく固体がブロック形状を保持することを意味する。すなわち、ＰＥＧ４０００を含有する固形物は、砕けたり破損したり、取扱いや輸送に脆弱であったりすることがなかった。
【００４０】
溶融体に含まれる硬化剤の量は、その内に配置された揮発性物質の種類、溶融体の他の成分、意図される使用温度、固体組成物の物理的サイズ、溶融体内で使用される他の成分の濃度、及び他の同様の要因によって変化する。硬化剤の量は、イオン性液体及び組成物の他の任意の成分と組み合わせて、連続混合条件下で均一な混合物を形成するのに有効である。
【００４１】
いくつかの実施形態において、本明細書に開示される溶融体組成物は、当該技術分野で公知であり、商業的供給者から入手可能な安定剤及び／又は染料を含んでもよい。一実施形態において、安定剤は、約０．１重量％〜約１重量％の量で存在してもよく、別の実施形態において、約１重量％より低い量で存在してもよい。一実施形態において、染料は、約０．１重量％〜約１重量％の量で存在してもよく、別の実施形態において、約１重量％より低い量で存在してもよい。
【００４２】
着色剤、香り成分及び／又は他の成分が溶融体の外面に移動する傾向を減少させるために、本発明の溶融体に特定の添加剤が含まれていてもよい。このような添加剤は、本明細書において「安定剤」と呼ばれる。安定剤として作用することができる１種の化合物は、重合アルファオレフィン、より具体的には少なくとも１０個の炭素原子を有するアルファオレフィンとから形成された重合生成物であり、より一般的には炭素原子数１０個〜約２５個の１種以上のアルファオレフィンから形成された重合生成物である。このようなポリマーの１つの好適な例は、商品名Ｖｙｂａｒ（登録商標）１０３ポリマー（テキサス州ＳｕｇａｒｌａｎｄのＢａｋｅｒ−Ｐｅｔｒｏｌｉｔｅから入手可能）として販売されているようなアルファオレフィンポリマーである。ソルビタントリステアレート及び／又はソルビタントリパルミテート及び完全に水素化された脂肪酸の混合物から形成された関連するソルビタントリエステルなどのソルビタンエステルの包含はまた、着色剤、香料成分及び／又は他の成分が溶融体表面に移動する傾向を減少させることができる。好適な安定剤の他の例には、ポリオキシエチレンソルビタン脂肪酸エステル（多くの場合「ポリソルベート」又は「ポリソルベート化合物」と呼ばれる）が含まれる。
【００４３】
いくつかの実施形態において、染料によって着色して溶融体に対する異なる特性を消費者に伝えることができる。例えば、その色は、特定の香り及び／又はその中に含まれる揮発性物質と関連していてもよく、例えば、カボチャスパイスの香りに関連する濃いオレンジ色である。溶融体の色は、赤色、オレンジ色、黄色、緑色、青色、紫色、及び／又は他の色などの実質的に均一な単色によって特徴付けられてもよい。いくつかの実施形態において、溶融体に単色を付与してもよいが、製造プロセス中に形成される溶融体内に小さな変色（例えば、斑点など）が存在してもよい。一実施形態において、溶融体は単色である。
【００４４】
別の実施形態において、溶融体は２つの別個の色を含んでもよい。特に、長手方向中心軸より上の溶融体の少なくとも一部には第１の色が与えられ、中心軸より下の溶融体の少なくとも一部には第２の色が付与される。さらなる実施形態において、溶融体の一部にパターンを提供してもよい。パターンは、任意の形状及びサイズであり得る。一実施形態において、パターンは渦を含んでもよい。パターンは、少なくとも２つの視覚的に対照的な色によって特徴付けられてもよい。
【００４５】
多数の色及び香りの組み合わせが可能であり、本開示の範囲内にあることが想定される。この開示と一致する溶融体の多数の変形例は、斑点状の外観（すなわち、不均一な斑点）を有する溶融体を含む。いくつかの実施形態において、溶融体は、色及び／又は香りパターンに対応する３つの層を含んでもよい。特に、溶融体の上面及び下面に隣接して配置される層は、実質的に同じ色であってもよく、これらの間に配置される層は異なる色であってもよいことが企図される。さらなる実施形態において、３つの層はすべて、異なる色によって画定されてもよい。別の実施形態において、色は異なる香りに対応してもよい。いくつかの実施形態において、溶融体はタイ染色された外観を有してもよい。いくつかの実施形態において、溶融体は、互いに傾斜された２つの層を有してもよい。傾斜した層は、他とは異なる色に対応することができる。いくつかの実施形態において、溶融体はパターンを含んでもよい。いくつかの実施形態において、パターンは溶融体の表面にエンボス加工されてもよい。別の実施形態において、パターンは、インク又は他の着色技術を用いて溶融体の表面に適用されてもよい。いくつかの実施形態において、パターンは、表面にエンボス加工されてもよく、そして／又は溶融体の表面から突出してもよい。別の実施形態において、パターンは、エンボス加工され、そして／又は形成工程中に溶融体に付与されてもよく、又は別個の工程中に溶融体に適用されてもよい。一実施形態において、（例えば、溶融体とは異なる色を使用して）良好な視覚的明瞭性のために、エンボス加工されたパターンを下にある溶融体の色と対照的な色でさらに適用することができる。別の実施形態において、エンボス加工されたパターンを溶融体に適用し、異なる色を付与しなくてもよい。
【００４６】
いくつかの実施形態において、溶融体は、溶融中の使用者の経験を向上させるために様々な香りの組み合わせを含んでもよい。例えば、３つの層を含む溶融体において、１つの層（例えば、中間層）は、溶融体の次の層が液化する前に、使用者に香りを噴射する別途の香り及び／又は添加剤を含んでもよい。このような噴射は、香り添加剤を使用するか、そして／又は溶融体の他の層に配置された香りとは異なる香りを使用するか、そして／又は周囲層の濃度よりも高い濃度で香りを提供することによって達成することができる。
【００４７】
いくつかの実施形態において、溶融体に使用される香りの組み合わせは、休日、感情、季節及び／又は他の経験に関連する経験を使用者に提供するように設計される。例えば、溶融体は、休日の食事又は風味の経験及び／又は感情を与えることができる。特に、カボチャ、バニラ、及びコーヒーの組み合わせを使用して、秋の香りの経験を想起させることができる。いくつかの実施形態は、白色層に関連する清潔なリネンの香りが含まれ、暗青色層にはより高い強度の清浄な石鹸の香りが付与され、淡黄色層には晴れた日を想起するために明るい柑橘類の香りが付与される。別の実施形態において、茶色層に関連するココアの香り、ピンク又は赤色層に関連するペパーミントの香り、及び白色層に関連するマシュマロの香りが含まれてもよい。他の実施形態では、ラベンダー色層に設けられたラベンダーの香りと組み合わせて暗青色層に設けた石鹸の香りを含む香り及び／又は色の組み合わせを含む。別の実施形態において、溶融体は、白色又は灰白色の層に設けられたバニラの香りと組み合わせて、暗赤色又は栗色層に設けられたアップルシナモンの香りを含んでもよい。さらなる実施形態において、溶融体は、紫色の層に設けられたラベンダー桃花の香りと組み合わせて、淡黄色の層に設けられたバラの香りのような１つ以上のフローラルの香りを含んでもよい。さらに別の実施形態において、溶融体は、白色又は灰白色層に設けられたバニラの香りと組み合わせて褐色層に設けられた木質の香り（例えば、カシミアウッド）を含んでもよい。香りの各々に関連する特定の色は例として、他の香り／色の組み合わせを使用してもよいことに留意すべきである。
【００４８】
本開示はまた、貯蔵器を備えたワックス加温器と、貯蔵器上に配置された本明細書に開示されるような少なくとも１つの溶融体とを含む揮発性物質送達システムを提供する。図１及び２を参照すると、溶融体加温器システム１００の１つの特定の実施形態が示されており、一般に、１つ以上の溶融体１０４を収容し、これによりその内に配置された少なくとも１つの揮発性物質を周囲環境に放出するように設計されたワックス加温器を含む。溶融体加温器システム１００は、一般に、本体１０２と、貯蔵器１１０と、ヒータアセンブリ（図示しない）とを含む。本体１０２は、ヒータアセンブリを収容し、貯蔵器１１０のための支持構造を提供するように形成される。貯蔵器１１０は、１つ以上の溶融体１０４を収容するように設計される。溶融体加温器システム１００は、電力コードの形態で提供され電源（図示しない）と、電池と、ティーライト（ｔｅａｌｉｇｈｔ）と、及び／又はこのようなシステムにエネルギーを供給する別の電源とを含む。溶融体加温器システム１００は、加温器から溶融体１０４に熱を伝達するように設計された加温器貯蔵器内に表面を提供する任意の構造を特徴とすることができる。１つの好適な溶融体加温器システム１００は、米国特許出願１４／１３６，２０１号（２０１３年１２月２０日出願、参照によりその全体が本明細書に組み込まれる）に記載されていたワックス加温器である。溶融体加温器システム１００は、一般に、上述の成分を含むと記載されているが、特定の使用者の要求に応じて様々な成分を追加又は除去するように構成されてもよい。溶融体１０４が受容体１０６内に配置されると、溶融体１０４の側壁１２２ａ〜１２２ｄと受容体２０２の側壁２１２との間の周囲に間隙２２０が形成される（図２参照）。
【００４９】
他の態様では、溶融体包装システムが提供される。包装システムは、本明細書で開示される少なくとも２つの溶融体を含み、各溶融体は、対向する実質的に平坦な表面を備える溶融体と、その中に少なくとも２つの溶融体の各々を保持するための別個の受容体を備えた容器とを含み、少なくとも２つの溶融体の各々が別個の受容体内に保持される。
【００５０】
例示的な実施形態において、溶融体１０４は、溶融体１０４の保管、保持、及び除去に関して特に好適な特性を有する受容体１０６内に設けられる（図２参照）。溶融体１０４が受容体１０６内に配置されると、溶融体１０４の側壁と受容体２０２の側壁との間の周囲に間隙２２０が形成される。溶融体加温器システム１００の１つ以上の成分は、別個に、又はキットの一部として販売されてもよい。キットは、本明細書に記載された成分のいずれかを含み、溶融体加温器システム１００の使用説明書をさらに含んでもよい。本明細書に記載の加温器システム１００は、芯材を持たない（例えば、芯材のない）少なくとも１つの溶融体１０４を含むことが想定される。さらに、溶融体１０４の溶融プロセスは、それに直接隣接する炎を含まない手段によって達成されることが想定される。例えば、一実施形態において、ヒータを用いて溶融体１０４に熱を加える。別の実施形態において、炎から提供される熱を溶融体１０４に加えてもよいが、この場合、炎が溶融体１０４に直接接触せず、加温器内に存在してもよい。
【００５１】
いくつかの実施形態において、溶融体は、揮発性物質の放出の寿命に関する確実性を使用者に提供するために、特定の期間の間において、１つ以上の揮発性物質を放出するか、又は別に液化するように設計されてもよい。例えば、一実施形態において、単一の溶融体は、約２０〜２５℃の周囲温度を有する室内に配置された加温器システムを使用して、加温器システムのヒータによって、約６０〜９０℃（一般に、約７５℃）の温度に、溶融体に熱を加えて貯蔵器内で、約３０分〜約８０分の期間後に、完全に液化することができる。別の実施形態において、単一の溶融体は、約２０〜２５℃の室内に配置された加温器システムのヒータによって約６０〜９０℃の温度に、溶融体に熱を加えた加温器システムを用いて少なくとも約６０分の期間にわたって完全に液化することができる。さらなる実施形態において、約２０〜２５℃の室内に配置された本明細書に記載された加温器システムを用いて、加温器システムのヒータ１０２によって、約６０〜９０℃の温度に、溶融体１０４に熱を加えて約５０分〜約７０分の期間にわたって完全に液化する。さらなる実施形態において、約２０〜２５℃の室内に配置された本明細書に記載された溶融体システムを用いて、加温器システムのヒータによって約６０〜９０℃の温度に、溶融体１０４に熱を加えて約３０分の超の期間にわたって完全に液化する。
【００５２】
溶融体は、さらに、加温器システムの加熱能力に関連する特定の温度で液化するように設計されてもよい。例えば、溶融体は、各々４０℃〜約９０℃の温度で溶融するように設計されてもよい。別の実施形態において、溶融体は、約５０℃〜約８５℃の温度で溶融するように設計されてもよい。溶融体の溶融及び／又は物理的特性は、加温器システムの強度に応じて特定の拡散能力を提供することができるが、溶融体が輸送されている間に液化せず、そして／又は使用前に取り扱われるような安定性も提供し得る。
【００５３】
特定の一実施形態において、イオン性液体は約９１．５重量％の量で存在し、香りは約６．５重量％の量で存在し、安定剤は約１重量％の量で存在し、染料は約１重量％の量で存在する。別の実施形態において、イオン性液体は、約９３重量％の量で存在し、香りは約６．５重量％の量で存在し、安定剤は、約０．３重量％の量で存在し、染料は約０．４重量％以下の量で存在する。
【００５４】
いくつかの実施形態において、溶融体は、少なくとも約８０重量％の深共晶固体及び約０．１重量％〜約１０重量％の香りを含む。一実施形態において、溶融体は、約１．０重量％以下の染料及び／又は約２０重量％以下の界面活性剤をさらに含む。
【００５５】
別の実施形態において、溶融体は、少なくとも約８０重量％の深共晶固体と、約０．１重量％〜約２０重量％、より一般的には約１０重量％の揮発性殺虫剤及び／又は揮発性誘引剤と、約０．５重量％以下の染料とを含む。
【００５６】
典型的な加温器貯蔵器に適切に適合し、適切な溶融特性を保証するために、溶融体は、好ましくは、貯蔵器の寸法に対応する特定の寸法に成形される。一実施形態において、各溶融体は、上面から下面までの側壁に沿って測定された高さ寸法を含む。一実施形態において、高さ寸法は約１０ｍｍ〜約３０ｍｍであり、別の実施形態において約１５ｍｍ〜約２０ｍｍである。別の実施形態において、高さ寸法は約１８ｍｍである。さらなる実施形態において、高さ寸法は、約１２ｍｍより大きく約２４ｍｍより小さい。
【００５７】
各溶融体は、対向する側壁の間の上面又は下面に沿って測定された長さ寸法を含む。一実施形態において、長さ寸法は約２０ｍｍ〜約４０ｍｍであり、別の実施形態において約２５ｍｍ〜約３５ｍｍである。別の実施形態において、長さ寸法は約３０ｍｍである。さらなる実施形態において、長さ寸法は約２６ｍｍより大きく約３２ｍｍより小さい。さらに、各溶融体１０４は、対向する側壁の間の上面又は下面に沿って測定した幅寸法を含む。一実施形態において、幅寸法は約２０ｍｍ〜約４０ｍｍであり、別の実施形態において約２５ｍｍ〜約３５ｍｍである。別の実施形態において、幅寸法は約３０ｍｍである。さらなる実施形態において、幅寸法は長さ寸法と実質的に同じである。
【００５８】
各溶融体はまた、その重量によって画定される。具体的には、各溶融体は、予め定められた特定の期間の間、揮発性物質を放出するように貯蔵器に対して寸法決めされる。このような放出を達成するために、各溶融体は一般に約０．００５ｋｇ〜０．１ｋｇの重量を有する。多くの実施形態において、各溶融体の重量は約０．０１ｋｇ〜０．０３ｋｇである。通常、各溶融体の重量は約０．１ｋｇ〜０．０３ｋｇである。
【００５９】
溶融体、容器、及び／又は溶融体加温器システムを含むキットの１つ以上の成分を提供する方法が考えられる。例えば、溶融体は、溶融体加温器を備えて、または備えずに容器内に設けられてもよい。消費者が溶融体加温器システムを購入すると、該システムが包装から取り除かれ、ヒータが（例えば、プラグ、電池、ティーライトなどを介して）オンにされる。容器の蓋が開けられ、消費者は溶融体を選択することができる。溶融体は、溶融体と受容体との間の空間に１つ以上の指を置くことによって把持され、容器から除去されてもよい。別の実施形態において、溶融体を受容体から引っ張り出すまで容器を傾けたり回転させたりすることができる。さらなる実施形態において、容器には、ディボット（ｄｉｖｏｔ）又は他の曲率が付与されて、使用者が溶融体を把持するために受容体に指をより容易に挿入できるようにすることができる。
【００６０】
この時点で、溶融体は、溶融体の上面又は下面のいずれかが受容体の表面と接触する溶融体加温器システムの受容体上に配置される。溶融体は、中央に配置されるように設計され、貯蔵器に外接する隆起縁部から離間される（すなわち、接触しない）ように設計される。貯蔵器の温度が上昇すると、溶融体が液化し始め、揮発性物質が溶融体から放出される。溶融体が液化するにつれて、揮発性物質の拡散が約３ｍｇ／ｈｒよりも大きくなる可能性がある。
【００６１】
別の実施形態において、容器は、第１の色が第１の香りに関連し、第２の色が第２の香りに関連する２つ以上の色に対応する２つ以上の香りを有する１つ以上の溶融体を備える。包装から溶融体を除去した後、消費者は、（２つ以上の香りが溶融体に付与される場合）２つの外側の香りのどちらかが最初に放出されることを決定することができる。例えば、消費者は、第２の色が貯蔵器の表面に隣接して配置された加温器システムの貯蔵器に溶融体を配置することを選択することができる。第２の香りは、溶融体の第１の色部分が液化溶融体又は貯蔵器に隣接するように溶融体が十分に液化するまで、第１の香りよりも高い速度で放出される。溶融体の第１の色部分が貯蔵器の表面に隣接すると、第１の香りの拡散速度が増加する。このようにして、消費者は、どちらの香りが最初に放出されるか、そして／又はある期間にわたり２つの香りの強度プロファイルを制御することができる。
【００６２】
本明細書に開示される溶融体のいずれも、本明細書に開示された容器のいずれかに使用され得ることが想定される。容器は、溶融体を保持するのに適した任意の数の貯蔵器を含むことができることがさらに想定される。いくつかの実施形態において、１つ以上の特定の色、香り、層数、他の揮発性物質の包含、及び／又は本明細書に記載の任意の他の特性によって規定されるプロファイルを有する第１の溶融体を、第２の異なるプロファイルを有する異なる溶融体を備えた容器内に設けることができる。プロファイルは、本明細書に記載された特徴のいずれかによって画定され得る。第２の溶融体は、任意の数の観点で第１の溶融体と異なっていてもよい。例えば、第２の溶融体は、色、香り、層数及び／又は揮発性物質のうちの少なくとも１つが第１の溶融体とは異なるので、第１の溶融体とは異なることができる。さらなる実施形態において、第１及び第２の溶融体のプロファイルと異なるプロファイルを有する第３の溶融体が同じ容器内に設けられる。第１、第２及び第３の溶融体（及び互い）のプロファイルとは異なるプロファイルを各々有する第４、第５及び第６の溶融体を単一の容器内に設けることもできる。同一のプロファイル、異なるプロファイル、及び／又はこれらの組み合わせを有する単一の容器内に任意の数の溶融体を設けることができることが想定される。
【実施例】
【００６３】
以下の実施例は、上記記載された様々な実施形態によるポリマーを調製するためのプロトコルをより具体的に例示する。これらの実施例は、本技術の範囲を限定するものと決して解釈されるべきではない。
【００６４】
［実施例１］
本技術による深共晶固体は、以下のようにして製造することができる。２０ｇの塩化カルシウム２水和物と８０ｇの尿素との混合物を約１００℃〜約１２０℃の温度に約３０分間加熱し、次いで室温に冷却させる。生成物は室温で固体であり、約８５℃の融点を有する。
【００６５】
［実施例２］
本技術による香り入り溶融体は、以下のようにして製造することができる。約８０ｇ〜約９９ｇの実施例１の深共晶固体、約０．１ｇ〜約１０ｇの揮発性香り物質、任意に約０．１ｇ〜約１ｇの染料、及び任意に約０ｇ〜約２０ｇの界面活性剤が、該物質を液化するために深共晶固体を十分に加熱し、次いで他の成分を添加することにより、混合される。冷却後、得られた生成物は室温で固体である。所望であれば、混合物が依然として液化状態にある間に、該混合物は室温に冷却される前に所望の形状を有する型に注がれてもよい。
【００６６】
［実施例３］
本技術による清浄剤濃縮物溶融体は、以下のようにして製造することができる。約８０ｇ〜約９９ｇの実施例１の深共晶固体、約０．１ｇ〜約１０ｇの揮発性香り物質、約０．１ｇ〜約２０ｇの界面活性剤（例えば、Ｇｅｎａｐｏｌ（登録商標）Ｔ２５０）、及び任意には約０．１ｇ〜１ｇの染料が、該物質を液化させるために十分に加熱された深共晶固体を加熱し、次いで他の成分を添加することによって、混合される。冷却後、得られた生成物は室温で固体である。所望であれば、混合物が依然として液化状態にある間に、該混合物は室温に冷却される前に所望の形状を有する型に注がれてもよい。
【００６７】
［実施例４］
本技術による殺虫剤溶融体は、以下のようにして製造することができる。約８０ｇ〜約９９ｇの実施例１の深共晶固体、約０．１ｇ〜約２０ｇの揮発性昆虫誘引剤物質及び／又は殺虫剤物質（例えば、トランスフルトリンのような殺虫剤）、及び任意に約０．１ｇ〜約１ｇの染料は、該物質を液化させるために十分に加熱された深共晶固体を加熱し、次いで他の成分を添加することによって、混合される。冷却後、得られた生成物は室温で固体である。所望であれば、混合物が依然として液化状態にある間に、該混合物は室温に冷却される前に所望の形状を有する型に注がれてもよい。
【００６８】
［実施例５］
本技術による溶融体は、以下のようにして製造することができる。２：１のモル比の塩化第２銅２水和物と塩化コリンとの混合物を約１００℃〜約１２０℃の温度で約２０〜３０分間加熱することにより、深共晶固体が形成される。得られた深共晶固体は、室温で固体であり、約５０℃の凝固点を有する。溶融体は、約９０ｇの深共晶固体、約７ｇの揮発性香り物質と約３ｇの染料を混合して形成されてもよく、該物質を液化させるために十分に加熱された深共晶固体を加熱し、次いで他の成分を添加することによって、混合される。冷却後、得られた生成物は室温で固体である。所望であれば、混合物が依然として液化状態にある間に、該混合物は室温に冷却される前に所望の形状を有する型に注がれてもよい。
【００６９】
［実施例６］
本技術による溶融体は、以下のようにして製造することができる。２：１のモル比の塩化リチウム５水和物と塩化コリンとの混合物を約１００〜１２０℃の温度に約２０〜３０分間加熱してもよい。冷却後、生成物は室温で固体であり、約５０℃の凝固点を有する。溶融体は、約９９ｇの深共晶固体と約１ｇの揮発性の昆虫忌避剤物質（たとえば、メトフルトリン）を混合して形成されてもよく、該物質を液化させるために十分に加熱された深共晶固体を加熱し、次いで他の成分を添加することによって、混合される。冷却後、得られた生成物は室温で固体である。所望であれば、混合物が依然として液化状態にある間に、該混合物は室温に冷却される前に所望の形状を有する型に注がれてもよい。
【００７０】
［実施例７］
本技術による溶融体は、以下のようにして製造することができる。２：１のモル比のシュウ酸と塩化コリンとの混合物を約６０〜８０℃の温度に約２０〜３０分間加熱し得る。冷却後、生成物は室温で固体であり、約５０℃の凝固点を有する。溶融体は、約９９ｇの深共晶固体と約１ｇの揮発性昆虫忌避剤物質（たとえば、揮発性香り物質）を混合して形成されてもよく、該物質を液化させるために十分に加熱された深共晶固体を加熱し、次いで他の成分を添加することによって、混合される。冷却後、得られた生成物は室温で固体である。所望であれば、混合物が依然として液化状態にある間に、該混合物は室温に冷却される前に所望の形状を有する型に注がれてもよい。
【００７１】
［実施例８］
本技術による溶融体は、以下のようにして製造することができる。２：１のモル比の臭化亜鉛と塩化アセチルコリンとの混合物を約１００〜１２０℃の温度に約２０〜３０分間加熱し得る。冷却後、生成物は室温で固体であり、約５０℃の凝固点を有する。溶融体は、約９９ｇの深共晶固体と約１ｇの揮発性昆虫誘引物質（例えば、１−オクテン−３−オール）を混合して形成されてもよく、該物質を液化させるために十分に加熱された深共晶固体を加熱し、次いで他の成分を添加することによって、混合される。冷却後、得られた生成物は室温で固体である。所望であれば、混合物が依然として液化状態にある間に、該混合物は室温に冷却される前に所望の形状を有する型に注がれてもよい。
【００７２】
［実施例９］
本技術によるイオン性液体は、以下のようにして製造することができる。３０．５ｇの臭化ナトリウムと６９．５ｇの尿素との混合物を約１００℃〜約１２０℃の温度に約３０分間加熱し、次いで室温に冷却させる。生成物は室温で固体であり、約６４〜６６℃の融点を有する。
【００７３】
［実施例１０］
本技術による香り入り溶融体は、以下のようにして製造することができる。約８０ｇ〜約９９ｇの実施例９の深共晶固体、約０．１ｇ〜約１０ｇの揮発性香り物質、任意に約０．１ｇ〜約１ｇの染料、及び任意に約０ｇ〜約２０ｇの界面活性剤は、該物質を液化させるために深共晶固体を十分に加熱し、次いで他の成分を添加することによって、混合される。冷却後、得られた生成物は室温で固体である。所望であれば、混合物が依然として液化状態にある間に、該混合物は室温に冷却される前に所望の形状を有する型に注がれてもよい。
【００７４】
［実施例１１］
本技術による清浄剤濃縮物溶融体は、以下のようにして製造することができる。約８０ｇ〜約９９ｇの実施例９の深共晶固体、約０．１ｇ〜約２０ｇの界面活性剤（例えば、Ｇｅｎａｐｏｌ（登録商標）Ｔ２５０のようなエトキシル化アルコール非イオン性界面活性剤）、及び任意に約０．１ｇ〜約１０ｇの揮発性香り物質及び／又は約０．１ｇ〜約１ｇの染料が、該物質を液化させるために十分に加熱された深共晶固体を加熱し、次いで他の成分を添加することによって、混合される。冷却後、得られた生成物は室温で固体である。所望であれば、混合物が依然として液化状態にある間に、該混合物は室温に冷却される前に所望の形状を有する型に注がれてもよい。
【００７５】
［実施例１２］
本技術による殺虫剤溶融体は、以下のようにして製造することができる。約８０ｇ〜約９９ｇの実施例９の深共晶固体、約０．１ｇ〜約２０ｇの揮発性昆虫誘引剤物質及び／又は殺虫剤物質（例えば、トランスフルトリンのような殺虫剤）、及び任意に約０．１ｇ〜約１ｇの染料が、該物質を液化させるために十分に加熱された深共晶固体を加熱し、次いで他の成分を添加することによって、混合される。冷却後、得られた生成物は室温で固体である。所望であれば、混合物が依然として液化状態にある間に、該混合物は室温に冷却される前に所望の形状を有する型に注がれてもよい。
【００７６】
［実施例１３］
本技術による深共晶固体は、以下のようにして製造することができる。４０ｇの塩化カルシウム２水和物と６０ｇの尿素との混合物を約１００℃〜約１２０℃の温度に約３０分間加熱し、次いで室温に冷却させる。生成物は室温で固体であり、融点は約５４〜５６℃である。
【００７７】
［実施例１４］
本技術による清浄剤濃縮物溶融体は、以下のようにして製造することができる。約８０ｇ〜約９９ｇの実施例１３の深共晶固体、約０．１ｇ〜約１０ｇの揮発性香り物質、約０．１ｇ〜約２０ｇの界面活性剤（例えば、Ｇｅｎａｐｏｌ（登録商標）Ｔ２５０）、及び任意には約０．１ｇ〜約１ｇの染料が、該物質を液化させるために十分に加熱された深共晶固体を加熱し、次いで他の成分を添加することによって、混合される。冷却後、得られた生成物は室温で固体である。所望であれば、混合物が依然として液化状態にある間に、該混合物は室温に冷却される前に所望の形状を有する型に注がれてもよい。
【００７８】
本開示は、本出願に記載された特定の実施形態によって限定されるものではない。当業者には明らかであるように、その主旨及び範囲から逸脱することなく、多くの変更及び変形を行うことができる。
［例示的な実施形態］
本明細書ではワックス加温器と、ワックス加温器の貯蔵器上に配置された１つ以上の溶融体とを含む揮発性物質送達システムが提供される。溶融体の少なくとも一部を液化するのに十分な熱が貯蔵器に供給されると、システムは周囲の空気中に揮発性物質を放出する。各溶融体は、イオン性液体を含み、該溶融体内に配置された少なくとも１つの揮発性物質を含み、界面活性剤、染料、硬化剤及び／又は安定剤も含んでもよい。イオン性液体は望ましくは水と混和性であってもよい。揮発性物質は、好適には、香り、精油、殺虫剤、誘引剤、忌避剤、臭気除去剤、及び／又は消毒剤を含んでもよい。各溶融体は、典型的には、少なくとも約３５℃かつ約１１０℃以下の融点を有する。
【００７９】
少なくとも２つの溶融体と、別個の受容体内に溶融体の各々を保持するための別個の受容体を備えた容器とを含む溶融体包装システムも提供される。
溶融体は、一般に、少なくとも約３５℃の融点を有する。典型的には、各溶融体は、少なくとも約５０重量％、多くの場合、少なくとも約７５重量％、一般には少なくとも約８０重量％のイオン性液体を含む。イオン性液体は、約３５℃〜約１１０℃の融点を有してもよい。イオン性液体は、少なくとも約７５重量％、多くの場合、少なくとも約８０重量％の溶融体を構成し得る深共晶固体を含んでもよい。
【００８０】
深共晶固体は、少なくとも約３５℃、多くの場合、少なくとも約４０℃の融点を有する。一般に、深共晶固体は約１００℃以下の融点を有する。深共晶固体は、望ましくは水と混和性であってもよい。いくつかの実施形態において、深共晶固体は、水素結合供与体と金属塩水和物との反応によって形成されたイオン性化合物を含む。例えば、深共晶固体は、水素結合供与体が尿素であり、金属塩水和物が塩化カルシウム２水和物である反応によって形成されたイオン性化合物を含んでもよい。例示的なイオン性化合物は、約２０：８０の重量比の塩化カルシウム２水和物と尿素との反応によって形成してもよい。
【００８１】
いくつかの実施形態において、深共晶固体は、第４級アンモニウム塩と水素結合供与体との反応によって形成されたイオン性化合物を含む。他の実施形態において、深共晶固体は、第４級アンモニウム塩と金属塩との反応によって形成されたイオン性化合物を含む。さらに他の実施形態において、深共晶固体は、第４級アンモニウム塩と金属塩水和物との反応によって形成されたイオン性化合物を含む。これらの実施形態において、第４級アンモニウム塩として、塩化コリンを好適に使用してもよい。好適な金属塩水和物の例には、Ｌｉ、Ｍｇ、Ｃａ、Ｃｒ、Ｍｎ、Ｆｅ、Ｃｏ、Ｎｉ、Ｃｕ、Ｚｎ、Ｃｄ、Ｐｂ、Ｂｉ、Ｌａ又はＣｅの陽イオンの塩化物、硝酸塩、硫酸塩又は酢酸塩が挙げられる。多くの実施形態では、金属塩水和物は、Ｌｉ、Ｍｇ、Ｃａ、又はＺｎの陽イオンの塩化物、硝酸塩、硫酸塩又は酢酸塩である。好適な水素結合供与体の例には、尿素、チオ尿素及びアセトアミドからなる群から選択されるアミド、シュウ酸、安息香酸、マロン酸又はクエン酸からなる群から選択されるカルボン酸、アルコール、及び置換又は非置換フェノールが挙げられる。
【００８２】
いくつかの実施形態において、各溶融体は、少なくとも約８０重量％の深共晶固体と約０．１重量％〜１０重量％の揮発性香りとを含む。各溶融体は、約１．０重量％以下の染料、及び／又は約２０重量％以下、より一般的には約１０重量％以下の界面活性剤、及び／又は安定剤を含んでもよい。
【００８３】
いくつかの実施形態において、各溶融体は、少なくとも約８０重量％の深共晶固体と、約０．１重量％〜約２０重量％の揮発性殺虫剤及び／又は揮発性誘引剤と、任意には約０．５重量％以下の染料とを含む。
【００８４】
多くの実施形態において、各溶融体は、水素結合供与体と金属塩水和物とから形成されたイオン性化合物、例えば、尿素と塩化カルシウム２水和物とから形成されたイオン性化合物を含む。例えば、イオン性化合物は、約２０：８０の重量比の塩化カルシウム２水和物と尿素とから形成された深共晶固体であってもよい。他の例において、イオン性化合物は、約４０：６０の重量比の塩化カルシウム２水和物と尿素とから形成された深共晶固体であってもよい。
【００８５】
多くの実施形態において、各溶融体は、水素結合供与体と金属塩とから形成されたイオン性化合物、例えば、尿素と臭化ナトリウムとから形成されたイオン性化合物を含む。例えば、イオン性化合物は、約３０：７０の重量比の臭化ナトリウムと尿素とから形成された深共晶固体であってもよい。
【００８６】
いくつかの実施形態において、溶融体は、第４級アンモニウム塩とＮａ、Ｆｅ、Ｚｎ又はＳｎの陽イオンのハロゲン化物塩とから形成されたイオン性化合物を含むイオン性液体を含む。
【００８７】
いくつかの実施形態において、溶融体は、第４級アンモニウム塩と水素結合供与体とを含む混合物から形成されたイオン性化合物を含むイオン性液体を含む。
いくつかの実施形態において、溶融体は、第４級アンモニウム塩と金属塩とから形成されたイオン性化合物を含む混合物から形成されたイオン性化合物を含むイオン性液体を含む。
【００８８】
いくつかの実施形態において、溶融体は、第４級アンモニウム塩と金属塩水和物とを含む混合物から形成されたイオン性化合物を含むイオン性液体を含む。
いくつかの実施形態において、溶融体は、水素結合供与体とその金属塩又はその水和物とを含む混合物から形成されたイオン性化合物を含むイオン性液体を含む。
【００８９】
特定の実施態様について例示かつ説明されるが、当業者によって、広義の態様の技術から逸脱することなく変更及び修正が可能であると理解されるべきである。
例示的に本明細書に記載された実施形態は、好適には本明細書に具体的に開示されていない、任意の要素又は限定要素なしに好適に実施することができる。従って、例えば、「含む」、「含有」、「包含」という用語は、限定なしに拡張的に読まれるものである。さらに、本明細書で用いられる用語及び表現は、説明及び非限定の用語として使用されており、このような用語及び表現の使用において記載された特徴又はその一部の任意の等価物を排除することは意図されておらず、種々の改変が特許請求技術の範囲内で可能であることが認識される。さらに、「本質的にからなる」という語句は、具体的に列挙される要素及び特許請求技術の基本的かつ新規な特徴に影響を与えないこれらの追加の要素を含むと理解される。「からなる」という語句は、明記されていない任意の要素を除外する。
【００９０】
本明細書で使用される、「約」は、当業者によって理解されていて、「約」が使用される文脈に応じてある程度変化する。当業者に明らかでない用語が使用される場合、「約」が使用される文脈を考慮して、「約」は特定の用語のプラス又はマイナス１０％までを意味する。
【００９１】
（特に以下の特許請求の範囲の文脈で）用語「ａ」、「ａｎ」、「ｔｈｅ」、及び要素を説明する文脈における同様の指示語の使用は、本明細書において別段の指示がない限り又は文脈により明らかに矛盾しない限り、単数と複数の両方を包含するものと解釈されるべきである。本明細書において値の範囲の列挙は、本明細書において別段の指示がない限り、単に、範囲内である各々別個の値を個々に言及する簡単な方法として提供されると意図され、各々別個の値が個々に本明細書に記載されているかのように、本明細書に組み込まれる。本明細書に記載の全ての方法は、本明細書において別段の指示がない限り又は文脈により明らかに矛盾しない限り、任意の好適な順序で行うことができる。本明細書で提供されたありとあらゆる実施例、又は例示的言語（例えば、「など」）の使用は、特に明記しない限り、より良く実施形態を説明するものであって、特許請求の範囲を限定するものではない。本明細書中の言語は、任意の非請求の要素を必須なものとして示すと解釈されるべきではない。
【００９２】
本開示の特徴又は態様がマーカッシュ群の観点で記載されている場合、当業者は、本開示はまた、これによってマーカッシュ群の任意の個々の要素又は要素のサブ群に関して記載されていることを認識するであろう。
【００９３】
当業者には理解されるように、任意の目的及びすべての目的のために、特に書面による説明を提供する点で、本明細書に開示されるすべての範囲は、その可能な部分範囲及び部分範囲の組み合わせをも包含する。
【図１】
2018504947.tif 000005
【図２】
2018504947.tif 000006
【国際調査報告】
2018504947.tif 000007
2018504947.tif 000008
2018504947.tif 000009